(57)【要約】      （修正有）【課題】映像を表示したり透明にしたりすることが可能な調度品を提供する。【解決手段】透明な調度品であって、表面に調光フィルム２３が貼り付けられており、調光フィルム２３の上面に自己修復フィルム２５が貼り合わされていることがことが好ましく、調度品が、ガラステーブル２０であって、調光フィルム２３が貼り付けられている表面が、ガラステーブル２０の天板２２の上面であっても良い調光フィルム付き調度品。【選択図】図１
2018151446.tif 000002
【特許請求の範囲】
【請求項１】
透明な調度品であって、表面に調光フィルムが貼り付けられていることを特徴とする調光フィルム付き調度品。
【請求項２】
前記調光フィルムの上面に自己修復フィルムが貼り合わされていることを特徴とする請求項１記載の調光フィルム付き調度品。
【請求項３】
前記調度品が、ガラステーブルであって、前記調光フィルムが貼り付けられている表面が、該ガラステーブルの天板の上面であることを特徴とする請求項１又は２に記載の調光フィルム付き調度品。
【請求項４】
前記調度品が、ガラス皿であって、前記調光フィルムが貼り付けられている表面が、該ガラス皿の内面であることを特徴とする請求項１又は２に記載の調光フィルム付き調度品。
【請求項５】
前記調光フィルムと前記自己修復フィルムとの間に透明液晶フィルムが貼り合わされていることを特徴とする請求項１〜４のいずれかに記載の調光フィルム付き調度品。
【発明の詳細な説明】
【技術分野】
【０００１】
本発明は、調光フィルム付き調度品に関する。
【背景技術】
【０００２】
従来から映像を表示できるテーブルというものがあった（例えば特許文献１参照）。しかし、従来のものはテーブルにバックライト装置を有する液晶表示装置を組み込んだものであったために、テーブルを透明にすることができず、ホテル等でテーブルなどの調度品を透明にしたり映像を表示したりしたいというようなニーズには答えることができなかった。
【先行技術文献】
【特許文献】
【０００３】
【特許文献１】特開２０１５−１０３４６６号公報
【発明の概要】
【発明が解決しようとする課題】
【０００４】
本発明は、このような事情を考慮してなされたもので、映像を表示したり透明にしたりすることが可能な調度品を提供することを課題とする。
【課題を解決するための手段】
【０００５】
本発明において上記課題を解決するために、まず請求項１の発明では、
透明な調度品であって、表面に調光フィルムが貼り付けられていることを特徴とする調光フィルム付き調度品としたものである。
【０００６】
また、請求項２の発明では、前記調光フィルムの上面に自己修復フィルムが貼り合わされていることを特徴とする請求項１記載の調光フィルム付き調度品としたものである。
【０００７】
また、請求項３の発明では、前記調度品が、ガラステーブルであって、前記調光フィルムが貼り付けられている表面が、該ガラステーブルの天板の上面であることを特徴とする請求項１又は２に記載の調光フィルム付き調度品としたものである。
【０００８】
また、請求項４の発明では、
前記調度品が、ガラス皿であって、前記調光フィルムが貼り付けられている表面が、該ガラス皿の内面であることを特徴とする請求項１又は２に記載の調光フィルム付き調度品としたものである。
【０００９】
また、請求項５の発明では、
前記調光フィルムと前記自己修復フィルムとの間に透明液晶フィルムが貼り合わされていることを特徴とする請求項１〜４のいずれかに記載の調光フィルム付き調度品としたものである。
【発明の効果】
【００１０】
請求項１の発明は、透明な調度品であって、表面に調光フィルムが貼り付けられているので、調光フィルムに対して、プロジェクタで映像を映し出せる白濁して不透明な状態と、透明な状態とを切換えることで、映像を表示したり透明にしたりすることが可能な調度品を提供できるという効果がある。
【００１１】
請求項２は、請求項１の発明において、調光フィルムの上面に自己修復フィルムが貼り合わされているので、上記請求項１の効果に加えて、調光フィルムを保護できるという効果がある。
【００１２】
請求項３の発明は、請求項１又は２の発明において、調度品が、ガラステーブルであって、前記調光フィルムが貼り付けられている表面が、該ガラステーブルの天板の上面であるので、上記請求項１又は２の効果に加えて、ガラステーブルの天板の下から、プロジェクタで、白濁して不透明な状態の調光フィルムに映像を映し出して、この天板の上から見ることができるという効果がある。
【００１３】
請求項４の発明は、請求項１又は２の発明において、調度品が、ガラス皿であって、前記調光フィルムが貼り付けられている表面が、該ガラス皿の内面であるので、上記請求項１又は２の効果に加えて、ガラス皿の内面或いは外面側から、それぞれ、プロジェクタで、白濁して不透明な状態の調光フィルムに映像を映し出して、ガラス皿の外面或いは内面から見ることができるという効果がある。
【００１４】
請求項５の発明は、請求項１〜４のいずれかの発明において、調光フィルムと自己修復フィルムとの間に透明液晶フィルムが貼り合わされているので、スペースの都合で、プロジェクタを用いることができなくても、周囲の自然光や照明光が、白濁して不透明な調光フィルムを透過又は反射して拡散した光をバックライトとして、透明液晶フィルムで、映像を表示できるという効果がある。
【００１５】
以上、本発明は、映像を表示したり透明にしたりすることが可能な調度品を提供できるという効果がある。
【図面の簡単な説明】
【００１６】
【図１】本発明の調光フィルム付きテーブルの天板部の断面の一例を示す図。
【図２】本発明の調光フィルム付きテーブルの一例を示す図。
【図３】ノーマルモード型の調光フィルムにおいて、（ａ）は電圧を印加しない場合、（ｂ）は電圧を印加した場合の液晶分子の向きを説明する図。
【図４】リバースモード型の調光フィルムにおいて、（ａ）は電圧を印加しない場合、（ｂ）は電圧を印加した場合の液晶分子の向きを説明する図。
【図５】本発明の調光フィルム付きテーブルを複数組み合わせて映像を表示する一例を説明する図。
【図６】本発明の調光フィルム付きテーブルの天板部の断面の他の例を示す図。
【図７】皿の一例を示す図。
【発明を実施するための形態】
【００１７】
以下に、本発明の実施形態を説明する。
【００１８】
本発明の調光フィルム付き調度品の一実施形態は、図２に示すように、天板部２１と、天板部２１を支持する四つの脚部２６を有する透明なガラステーブル２０であって、図１
に示すように、天板部２１は、天板２２の上面に調光フィルム２３を貼り付け、さらに調光フィルム２３の上面に自己修復フィルム２５を貼り合せた調光フィルム付きガラステーブル２０である。
【００１９】
自己修復フィルム２５は、自己修復性を有する透明な保護フィルムであって、例えば、透明樹脂フィルムの一方の面に軟質樹脂層を有し、この軟質樹脂層軟質樹脂層が、ウレタン（メタ）アクリレートとフッ素含有化合物からなるものや、ウレタン（メタ）アクリレートとフッ素含有化合物とシロキサン結合を有する化合物からなるものが知られている。
【００２０】
調光フィルム２３は、ノーマルモード型とリバースモード型との２種類がある。
【００２１】
ノーマルモード型の調光フィルムは、図３に示すように、ポリマーネットワーク４にポジ型液晶分子５が分散している液晶層６の両面に、液晶層６から順に透明電極２と透明樹脂フィルム１とを有するフィルムであって、両面の透明電極２にスイッチ１０を介して交流電源９が接続され、図３（ａ）に示すように、スイッチ１０が開いて（切れて）、交流電圧が印加されていない状態では、ポジ型液晶分子５の向きは不規則となって、液晶層６に入射した入射光１１は液晶層６を透過している間に拡散された透過光１２となって出射されるので、白濁して不透明になり、一方、図３（ｂ）に示すように、スイッチ１０が閉じて（入って）、交流電圧が印加されている状態では、ポジ型液晶分子５が配向して、液晶層６に入射した入射光１１は液晶層６を直進し透過光１３となって出射されるので、透明になるものである。
【００２２】
リバースモード型の調光フィルムは、図４に示すように、ポリマーネットワーク４にネガ型液晶分子７が分散している液晶層８の両面に、液晶層８から順に配向膜３と透明電極２と透明樹脂フィルム１とを有するフィルムであって、両面の透明電極２にスイッチ１０を介して交流電源９が接続され、図４（ａ）に示すように、スイッチ１０が開いて（切れて）、交流電圧が印加されていない状態では、ネガ型液晶分子７は、両面の配向膜３の配向作用により垂直配向されて、液晶層８に入射した入射光１１は液晶層８を直進し透過光１３となって出射されるので、透明になり、一方、図４（ｂ）に示すように、スイッチ１０が閉じて（入って）、交流電圧が印加されている状態では、ネガ型液晶分子７の向きは不規則となって、液晶層８に入射した入射光１１は液晶層８を透過している間に拡散された透過光１２となって出射されるので、白濁して不透明になるものである。
【００２３】
調光フィルム２３は、白濁して不透明な状態では、透過型スクリーンとなり、図１に示すように、調光フィルム付きガラステーブル２０の天板部２１の下で、４つの脚部２６の間にプロジェクタ２７を置き、天板部２１の下から、プロジェクタ２７で光２８を、白濁して不透明な状態の調光フィルム２３に投射すると、この白濁して不透明な状態の調光フィルム２３に映像が映し出されてガラステーブル２０の天板部２１の上から見ることができる。
【００２４】
調光フィルム２３が透明な状態では、映像は映し出せず、調光フィルム付きガラステーブル２０は、透明なテーブルとしておけるので、状況に応じて透明なテーブルを使用したホテル等の環境では美観を損なう恐れがない。
【００２５】
調光フィルム付きガラステーブル２０は、白濁して不透明な状態の調光フィルム２３を透過型スクリーンとしてプロジェクタ２７で映像を映し出すので、天板部２１の形状が、図５に示す調光フィルム付きガラステーブル２０ａのように、曲線状であっても、映像を映し出すことが容易にできる。
【００２６】
このため、図５に示すように、天板部２１の形状が直線状の調光フィルム付きガラステ
ーブル２０と、天板部２１の形状が曲線状の調光フィルム付きガラステーブル２０ａとを組み合わせて、映像の流れ方向２９に、得像を流すことで、演出性を向上できる。
【００２７】
これに対して、従来のバックライト装置を有する液晶表示装置を組み込んだテーブルでは、天板部の形状が曲線状のテーブルで映像を表示することは難しい。
【００２８】
調光フィルム付きガラステーブル２０の天板部２１の下で、４つの脚部２６の間にプロジェクタ２７を置くスペースがない場合、図６に示すように、調光フィルム２３と自己修復フィルム２５との間に透明液晶フィルム２４を貼り合せても良い。
【００２９】
透明液晶フィルム２４は、フィルム状の透明な液晶表示装置であり、調光フィルム付きガラステーブル２０の周囲の自然光や照明光が、白濁して不透明な調光フィルム２３を透過又は反射して拡散した光をバックライトとして、映像を表示できる。
【００３０】
本発明の調光フィルム付き調度品の他の実施形態としては、図７に示すような透明なガラス皿であって、この皿の内面に調光フィルムを貼り付け、さらに調光フィルムの上面に自己修復フィルムを貼り合せた調光フィルム付きガラス皿が挙げられる。このガラス皿でも、調光フィルムと自己修復フィルムとの間に透明液晶フィルムを貼り合せても良い。
【符号の説明】
【００３１】
１…透明樹脂フィルム
２…透明電極
３…配向膜
４…ポリマーネットワーク
５…ポジ型液晶分子
６…液晶層
７…ネガ型液晶分子
８…液晶層
９…交流電源
１０…スイッチ
１１…入射光
１２…透過光
１３…透過光
２０…調光フィルム付きガラステーブル
２０ａ…調光フィルム付きガラステーブル
２１…天板部
２２…天板
２３…調光フィルム
２４…透明液晶フィルム
２５…自己修復フィルム
２６…脚部
２７…プロジェクタ
２８…光
２９…映像の流れ方向
【図１】
2018151446.tif 000003
【図２】
2018151446.tif 000004
【図３】
2018151446.tif 000005
【図４】
2018151446.tif 000006
【図５】
2018151446.tif 000007
【図６】
2018151446.tif 000008
【図７】
2018151446.tif 000009